(57)【特許請求の範囲】
【請求項１】
流体圧力を指針の動きに変換して表示する内装機と、該内装機を収容するケースと、該ケースの前面に着脱自在に取り付けられた前面カバーとを備え、
上記前面カバーが目盛板と表示針用取付部材とを兼ねていて、該カバーに、上記指針に指示させるべき圧力目盛が付されると共に、流体の使用圧力範囲を表示する表示針が該目盛に沿って移動可能に取り付けられており、更に、上記前面カバーが、第１部材と、該第１部材に保持された透明で目盛が付された第２部材とからなっていて、これらの第１部材と第２部材との間に上記目盛に沿った隙間が形成され、この隙間内に上記表示針が移動可能に取り付けられている、
ことを特徴とする圧力範囲表示針を有する圧力計。
【請求項２】
請求項１に記載の圧力計において、上記隙間を第２部材で覆われた位置に形成することにより、上記表示針を該第２部材で外側から覆ったもの。
【請求項３】
請求項２に記載の圧力計において、上記第２部材の隙間を覆う部分に目盛を付すことにより、該目盛を表示針より外側に位置させたもの。
【請求項４】
請求項１乃至３の何れかに記載の圧力計において、上記前面カバーの裏面に表示針の一部を突出させることにより、該突出部分で表示針の移動操作を行うようにしたもの。
【発明の詳細な説明】
【０００１】
【発明の属する技術分野】
本発明は、流体の使用圧力範囲を表示する表示針を備えた圧力計に関するものである。
【０００２】
【従来の技術】
流体圧機器における流体圧を測定する圧力計には、測定された流体圧がその流体圧機器の適合範囲内にあるか否かを知るために、その適合範囲を表示する圧力範囲表示針を取り付けておくことが望ましい。この場合、流体圧の適合範囲は流体圧機器によって異なるため、上記圧力範囲表示針を取り付ける場合には、その取付位置を目盛板に沿って変更可能であること、及び、その変更作業を簡単に行い得ること等が要求される。また、目盛板及び表示針が見易い位置にあることも重要である。
【０００３】
公知の圧力計は、一般に、図６に示すように、流体圧力を指針２の動きに変換して目盛板３で表示する内装機１と、該内装機１を収容するケース４と、該ケース４の前面に着脱自在に取り付けられた透明な前面カバー５とを備えていて、圧力範囲表示針６は上記目盛板３に取り付けられている。
【０００４】
ところが、このような公知の圧力計は、上記目盛板３がケース４の前面から若干後退した位置にあり、しかも上記表示針６が、指針２の回転の邪魔にならないようにできるだけ目盛板３の外周に寄せて取り付けられているため、圧力計を斜め前方から見た場合に、目盛板３や表示針６がケース４に遮られて非常に見にくいという欠点があった。また、表示針６の位置を変更する場合には、狭い場所に指や工具等を差し込んで小さい表示針を動かさなければならないため、作業が非常に面倒で、圧力計が小型化されているとその作業は一層困難であった。更に、表示針６が目盛板３の外面に取り付けられているため、該表示針６で目盛の一部が多い隠されて見にくいという問題もあった。
【０００５】
一方、米国特許第１，８８１，３８９号には、表示針をケースの前面周縁に移動自在に取り付けたインジケータが開示されている。このインジケータは、表示針の位置変更を外部から行うことができるため、その変更作業は簡単である。
【０００６】
しかしながら、このインジケータにおいても、上述した一般的な圧力計と同様に、目盛板がインジケータの前面から若干後退した位置にあるため、見る角度によっては該目盛板を見にくいことがあり、また、上記表示針が目盛板の上面から若干離れて位置しているため、インジケータを斜め前方から見た場合に表示針と目盛との位置関係がずれて読み取り誤差を生じ易いばかりでなく、目盛の一部が表示針に覆い隠されて見にくいといった問題がある。しかも、表示針が外部に露出しているため、異物との接触によって該表示針が不用意に位置ずれし易いという欠点もある。
【０００７】
【発明が解決しようとする課題】
本発明の主要な技術的課題は、目盛板や圧力範囲表示針が外部から見易い位置にあって、どのような角度からでもそれらを確実に読み取ることができる、視認性に勝れた圧力計を提供することにある。
本発明の他の技術的課題は、圧力範囲表示針の位置の変更が容易で、異物との接触による位置ずれも生じにくい、使用性に勝れた圧力計を得ることにある。
【０００８】
【課題を解決するための手段】
上記課題を解決するため、本発明の圧力計は、流体圧力を指針の動きに変換して表示する内装機と、該内装機を収容するケースと、該ケースの前面に着脱自在に取り付けられた前面カバーとを備え、該前面カバーが目盛板と表示針用取付部材とを兼ねていて、該カバーに、上記指針に指示させるべき圧力目盛が付されると共に、流体の使用圧力範囲を表示する表示針が該目盛に沿って移動可能に取り付けられており、更に、上記前面カバーが、第１部材と、該第１部材に保持された透明で目盛が付された第２部材とからなっていて、これらの第１部材と第２部材との間に上記目盛に沿った隙間が形成され、この隙間内に上記表示針が移動可能に取り付けられていることを特徴とするものである。
【０００９】
上記構成の圧力計は、ケースの前面に位置する前面カバーが目盛板を兼ねていて、これに圧力範囲表示針が直接取り付けられているため、どのような角度から圧力計を見ても、これらの目盛板及び表示針がケースに隠れて見にくいといったことがなく、しかも、表示針が指示する目盛を正面からでも斜め前方からでも誤差なく確実且つ正確に読み取ることができる。
【００１１】
本発明の具体的な構成態様によれば、上記隙間を透明の第２部材で覆われた位置に形成することにより、上記表示針を該第２部材で外側から覆った状態に取り付けるのが適しており、また、該第２部材の隙間を覆う部分に目盛を付すことにより、該目盛を表示針より外側に位置させるのが好ましい。
このように構成することにより、何らかの異物が表示針に接触するのを防止して、該表示針の位置ずれや脱落、汚れ等を確実に防ぐことができ、また、目盛の一部が表示針に覆い隠されて読みにくいといった問題も解消される。
【００１２】
本発明においてはまた、上記表示針の一部が前面カバーの裏面に突出し、該突出部分を介して該表示針の移動操作を行うように構成されている。
これにより、前面カバーをケースから取り外し、このカバー側において表示針の位置変更を簡単に行うことができる。
【００１３】
【発明の実施の形態】
図１及び図２は本発明に係る圧力計の一実施例を示すもので、この圧力計は、流体圧力を指針１１の動きに変換して表示する内装機１０と、該内装機１０を収容するケース１２と、該ケース１２の前面に着脱自在に取り付けられた前面カバー１３とを備えている。
【００１４】
上記内装機１０としては、流体圧力の導入により変形するブルドン管（図示せず）の変形を指針１１の回転運動に変換する、公知のブルドン管方式のものが好適に使用されるが、その他の変換原理によるものを使用することもできる。この内装機１０について注目すべき点は、その前面に指針１１は取り付けられているが、目盛板は取り付けられていないということである。
【００１５】
上記ケース１２は、図３からも分かるように断面正方形状をしていて、その中央部に円形の室１２ａを有し、該室１２ａ内に上記内装機１０を収容するようにしたもので、合成樹脂により構成されている。該ケース１２における一対の対角部には、圧力計を流体機器等に固定する螺子１５を挿入するための螺子取付孔１６が設けられ、他の一対の対角部には、上記前面カバー１３を取り付けるための係止孔１７が設けられている。
【００１６】
上記前面カバー１３は、上記ケース１２の前面にほぼぴったりと取り付けることができるように、該ケース１２の断面形状とほぼ同じ大きさの正方形状に形成されたもので、目盛板と表示針用取付部材とを兼ねており、その具体的構成は次の通りである。
【００１７】
即ち、図４からも分かるように上記前面カバー１３は、中央部に円形の取付穴２３を有する不透明で四角形状をした合成樹脂製の第１部材２１と、該第１部材２１の取付穴２３内に取り付けられた透明で円板形をした合成樹脂製の第２部材２２とからなっており、該第２部材２２の外周部分に流体圧力表示用の目盛２４が付され、上記第１部材２１の内周部分に、上記目盛２４に対応する数値等の必要な文字２５が付されている。
【００１８】
上記第１部材２１における取付穴２３の穴縁２３ａは、図５に詳細に示すように、穴に近づくほど次第に薄くなるように上面側が２段にわたって薄肉化され、これに対して第２部材２２の下面外周寄りの位置には、下端が外向きに折れ曲がった断面Ｌ字形の突壁２６が環状に形成され、これらの穴縁２３ａと突壁２６との間に、圧力範囲表示針２０を取り付けるための隙間２７が、透明の第２部材２２の外周部分で外側から覆われた状態で、該外周部分に付した目盛２４に沿うように形成されている。
【００１９】
上記隙間２７は、第１部材２１と第２部材２２とで囲まれた幅広の第１部分２７ａと、前面カバー１３の裏面側に開口する幅が狭い第２部分２７ｂとからなっていて、上記第１部分２７ａに、断面Ｔ字状をした上記表示針２０の頭部２０ａが収容され、第２部分２７ｂに脚部２０ｂが嵌入している。そして、該脚部２０ｂの先端は前面カバー１３の裏面側に突出し、この脚部２０ｂの突出部分を動かすことによって表示針２０を、上記隙間２７に沿って任意の位置に移動させることができるようになっている。
なお、上記第２部材２２に対する第１部材２１の取り付けは、接着や圧入等の任意の手段によって行うことができる。
【００２０】
上記表示針２０は、ゴムや合成樹脂のような弾性があって比較的摩擦の大きい素材で形成され、上記隙間２７内、特に第１部分２７ａ内に若干挟圧された状態に収容されており、これによって該表示針２０が、衝撃や振動等によって不用意に動かないようになっている。
【００２１】
また、前面カバー１３における上記第１部材２１の下面には、ケース１２の係止孔１７に対応する位置に、該係止孔１７に係脱自在の一対のフック２８が形成されている。そして、該前面カバー１３をケース１２に取り付けるときは、図３に鎖線で示すように該前面カバー１３をケース１２に対して若干回転させた位置に置き、その位置で上記フック２８を係止孔１７の広幅部１７ａ内に挿入したあと、該前面カバー１３を図の時計方向にケース１２に丁度重なる位置まで回転させて、フック２８を狭幅部１７ｂに係止させるようにし、ケース１２から取り外すときは、これとは逆の操作を行うようにする。
【００２２】
上記構成を有する圧力計は、ケース１２の前面に位置する前面カバー１３が目盛板を兼ねていて、これに圧力範囲表示針２０が直接取り付けられているため、目盛２４及び表示針２０が見易く、どのような角度から圧力計を見ても、これらの目盛２４及び表示針２０がケース１２に隠れて見にくいといったことがない。しかも、指針１１や表示針２０が指示する目盛２４を、正面からでも斜め前方からでも誤差なく確実且つ正確に読み取ることができる。
【００２３】
また、上記表示針２０が透明の第２部材２２で外側から覆われることにより、人体やその他の異物が該表示針２０に接触するのが確実に防止されるため、該表示針２０の不用意な位置ずれ、脱落、汚れ等が発生しない。
更に、上記第２部材２２の外周の表示針２０を覆う部分に目盛２４が付されることにより、該目盛２４が表示針２０より外側に位置しているので、従前の圧力計のように目盛２４の一部が表示針２０に覆い隠されて読みにくいといったことも全くない。
【００２４】
上記表示針２０の位置の変更は、前面カバー１３をケース１２から取り外し、該前面カバー１３の裏面に突出する脚部２０ｂを動かすことにより行う。この作業は、ケース１２の隅の狭い部分に指や工具等を差込んで表示針２０を動かす従来方法に比べ、非常に簡単である。
【００２５】
【発明の効果】
このように本発明によれば、前面カバーが目盛板を兼ねていて、これに圧力範囲表示針が取り付けられているため、目盛と表示針とが非常に見易く、どのような角度からでもそれらを確実且つ正確に読み取ることができる。
また、圧力範囲表示針の位置の変更が容易で、異物との接触による位置ずれや脱落、汚れ等が生じない。
【図面の簡単な説明】
【図１】本発明に係る圧力計の一実施例を示す正面図である。
【図２】図１の断面図である。
【図３】前面カバーを取り外した状態のケースの正面図である。
【図４】前面カバーの断面図である。
【図５】図２の要部拡大図である。
【図６】従来例の断面図である。
【符号の説明】
１０  内装機                      １１  指針
１２  ケース                      １３  前面カバー
２０  表示針                      ２１  第１部材
２２  第２部材                    ２４  目盛
２７  隙間
【図１】
0003717621.tif 000002
【図２】
0003717621.tif 000003
【図３】
0003717621.tif 000004
【図４】
0003717621.tif 000005
【図５】
0003717621.tif 000006
【図６】
0003717621.tif 000007